(57)【要約】【課題】  簡易な構成で冷却用空気を所望の方向に導くことを可能とする冷却ユニット及び投写型映像表示装置を提供する。【解決手段】  冷却ユニット４００は、ヒートパイプ４２０に連結されており、ヒートパイプ４２０が伸びる方向に沿って所定間隔で配置された複数の放熱フィン４３０を有する。放熱フィン４３０は、ヒートパイプ４２０が伸びる方向に対して垂直な主面を有する平板状のフィン本体４３１と、フィン本体４３１の主面に対して垂直な導風面を有する導風壁４３２とを有する。導風壁４３２は、複数の放熱フィン４３０に供給される冷却用空気を異なる向きに導くように設けられる。【選択図】  図６
2012155154.tif 000002
【特許請求の範囲】
【請求項１】
ヒートパイプに連結されており、前記ヒートパイプが伸びる方向に沿って所定間隔で配置された複数の放熱フィンを有する冷却ユニットであって、
前記放熱フィンは、前記ヒートパイプが伸びる方向に対して垂直な主面を有する平板状のフィン本体と、前記主面に対して垂直な導風面を有する導風壁とを有しており、
前記導風壁は、前記複数の放熱フィンに供給される冷却用空気を異なる向きに導くように設けられることを特徴とする冷却ユニット。
【請求項２】
前記主面は、矩形形状の主面を有しており、
前記導風壁は、前記主面のうち、互いに隣接する２辺に沿って設けられることを特徴とする請求項１に記載の冷却ユニット。
【請求項３】
前記放熱フィンとして、第１ヒートパイプに連結された第１個別ユニットに設けられた第１放熱フィンを有しており、
前記放熱フィンとして、第２ヒートパイプに連結された第２個別ユニットに設けられた第２放熱フィンを有しており、
前記第１個別ユニット及び前記第２個別ユニットは、前記導風壁によって形成される空気流路上において、間隔を持ちながら隣接して配置されることを特徴とする請求項１に記載の冷却ユニット。
【請求項４】
前記第１個別ユニットは、第１熱源の冷却に用いられ、
前記第２個別ユニットは、前記第１熱源よりも発熱量が小さい第２熱源の冷却に用いられ、
前記第１個別ユニット及び前記第２個別ユニットは、前記第１個別ユニットから前記第２個別ユニットに前記冷却用空気が導かれるように配置されることを特徴とする請求項３に記載の冷却ユニット。
【請求項５】
請求項１乃至請求項４のいずれかに記載の冷却ユニットを備えることを特徴とする投写型映像表示装置。
【発明の詳細な説明】
【技術分野】
【０００１】
本発明は、放熱フィンを有する冷却ユニット及び投写型映像表示装置に関する。
【背景技術】
【０００２】
従来、照明光学系から出射される光を投写面上に投写する投写光学系を有する投写型映像表示装置が知られている。照明光学系は、例えば、ＬＥＤ（Ｌｉｇｈｔ  Ｅｍｉｔｔｉｎｇ  Ｄｉｏｄｅ）などの光源と、光源から出射された光を変調する光変調素子とを含む。また、投写型映像表示装置は、光源などの熱源を冷却するヒートシンクなどの冷却ユニットを有する。
【０００３】
このようなケースにおいて、冷却ユニットは、吸気口から排気口に流れる冷却用空気の空気流路に配置される。冷却用空気を排気口に流すために、冷却ユニットを覆うカバーが設けられる（例えば、特許文献１）。
【先行技術文献】
【特許文献】
【０００４】
【特許文献１】特開２００７−１３０５２号公報
【発明の概要】
【発明が解決しようとする課題】
【０００５】
しかしながら、冷却ユニットを覆うカバーを設けると、冷却ユニットの配置スペースが限られてしまい、冷却ユニットを有する投写型映像表示装置が大型化してしまう。
【０００６】
そこで、本発明は、上述した課題を解決するためになされてものであり、簡易な構成で冷却用空気を所望の方向に導くことを可能とする冷却ユニット及び投写型映像表示装置を提供することを目的とする。
【課題を解決するための手段】
【０００７】
第１の特徴に係る冷却ユニット（冷却ユニット４００）は、ヒートパイプ（ヒートパイプ４２０）に連結されており、前記ヒートパイプが伸びる方向に沿って所定間隔で配置された複数の放熱フィン（放熱フィン４３０）を有する。前記放熱フィンは、前記ヒートパイプが伸びる方向に対して垂直な主面を有する平板状のフィン本体（フィン本体４３１）と、前記主面に対して垂直な導風面を有する導風壁（導風壁４３２）とを有する。前記導風壁は、前記複数の放熱フィンに供給される冷却用空気を異なる向きに導くように設けられる。
【０００８】
第１の特徴において、前記主面は、矩形形状の主面を有する。前記導風壁は、前記主面のうち、互いに隣接する２辺に沿って設けられる。
【０００９】
第１の特徴において、冷却ユニットは、前記放熱フィンとして、第１ヒートパイプに連結された第１個別ユニットに設けられた第１放熱フィンを有しており、前記放熱フィンとして、第２ヒートパイプに連結された第２個別ユニットに設けられた第２放熱フィンを有する。前記第１個別ユニット及び前記第２個別ユニットは、前記導風壁によって形成される空気流路上において、間隔を持ちながら隣接して配置される。
【００１０】
第１の特徴において、前記第１個別ユニットは、第１熱源の冷却に用いられる。前記第２個別ユニットは、前記第１熱源よりも発熱量が小さい第２熱源の冷却に用いられる。前記第１個別ユニット及び前記第２個別ユニットは、前記第１個別ユニットから前記第２個別ユニットに前記冷却用空気が導かれるように配置される。
【００１１】
第２の特徴に係る投写型映像表示装置は、第１の特徴に係る冷却ユニットを備える。
【発明の効果】
【００１２】
本発明によれば、簡易な構成で冷却用空気を所望の方向に導くことを可能とする冷却ユニット及び投写型映像表示装置を提供することができる。
【図面の簡単な説明】
【００１３】
【図１】図１は、第１実施形態に係る投写型映像表示装置１００の概略を示す図である。
【図２】図２は、第１実施形態に係る投写型映像表示装置１００の概略を示す図である。
【図３】図３は、第１実施形態に係る投写型映像表示装置１００の詳細を示す図である。
【図４】図４は、第１実施形態に係る投写型映像表示装置１００の詳細を示す図である。
【図５】図５は、第１実施形態に係る冷却ユニット４００の詳細を示す図である。
【図６】図６は、第１実施形態に係る冷却ユニット４００の詳細を示す図である。
【図７】図７は、第１実施形態に係る冷却ユニット４００Ｇの詳細を示す図である。
【図８】図８は、第１実施形態に係る冷却ユニット４００Ｂの詳細を示す図である。
【図９】図９は、変更例１に係る１つの個別ユニットを示す図である。
【図１０】図１０は、変更例１に係る１つの個別ユニットを示す図である。
【図１１】図１１は、変更例１に係る１つの個別ユニットを示す図である。
【図１２】図１２は、変更例１に係る複数の個別ユニットの組み合わせを示す図である。
【図１３】図１３は、変更例１に係る複数の個別ユニットの組み合わせを示す図である。
【図１４】図１４は、変更例１に係る複数の個別ユニットの組み合わせを示す図である。
【発明を実施するための形態】
【００１４】
以下において、本発明の実施形態に係る投写型映像表示装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る冷却ユニットは、ヒートパイプに連結されており、ヒートパイプが伸びる方向に沿って所定間隔で配置された複数の放熱フィンを有する。放熱フィンは、ヒートパイプが伸びる方向に対して垂直な主面を有する平板状のフィン本体と、主面に対して垂直な導風面を有する導風壁とを有する。導風壁は、複数の放熱フィンに供給される冷却用空気を異なる向きに導くように設けられる。
【００１７】
実施形態では、導風壁は、複数の放熱フィンに供給される冷却用空気を異なる向きに導くように設けられる。従って、簡易な構成で冷却用空気を所望の方向に導くことができる。
【００１８】
［第１実施形態］
（投写型映像表示装置の概略）
以下において、第１実施形態に係る投写型映像表示装置の概略について、図面を参照しながら説明する。図１は、第１実施形態に係る投写型映像表示装置１００（床面投写）を示す図である。図２は、第１実施形態に係る投写型映像表示装置１００（壁面投写）を示す図である。
【００１９】
図１及び図２に示すように、投写型映像表示装置１００は、筐体２００を有しており、投写面（不図示）に映像を投写する。投写面は、図１に示すように、床面に設けられていてもよく、図２に示すように、壁面に設けられてもよい。
【００２０】
なお、筐体２００には、映像光を透過する透過領域２１１が設けられている。筐体２００には、吸気口２１２（吸気口２１２Ａ及び吸気口２１２Ｂ）及び排気口２１３（排気口２１３Ａ及び排気口２１３Ｂ）が設けられている。
【００２１】
（投写型映像表示装置の詳細）
以下において、第１実施形態に係る投写型映像表示装置の詳細について、図面を参照しながら説明する。図３及び図４は、投写型映像表示装置１００の詳細を示す図である。図３は、図１及び図２に示すＡ方向から投写型映像表示装置１００を見た斜視図である（正面視）。図４は、図３に示すＢ方向から投写型映像表示装置１００を見た斜視図である（背面視）。なお、図３及び図４では、筐体２００を透過して、投写型映像表示装置１００の内部構成が示されている。
【００２２】
図３及び図４に示すように、投写型映像表示装置１００は、光源１０（光源１０Ｒ、光源１０Ｇ及び光源１０Ｂ）と、クロスダイクロイックミラー２０と、折り返しミラー３０と、ＤＭＤ４０と、投写ユニット５０とを有する。
【００２３】
光源１０Ｒは、赤成分光Ｒを出射する光源であり、例えば、赤ＬＥＤ（Ｌｉｇｈｔ  Ｅｍｉｔｔｉｎｇ  Ｄｉｏｄｅ）や赤ＬＤ（Ｌａｓｅｒ  Ｄｉｏｄｅ）である。光源１０Ｇは、緑成分光Ｇを出射する光源であり、例えば、緑ＬＥＤや緑ＬＤである。光源１０Ｂは、青成分光Ｂを出射する光源であり、例えば、青ＬＥＤや青ＬＤである。
【００２４】
クロスダイクロイックミラー２０は、光源１０Ｇから出射される緑成分光Ｇを透過し、光源１０Ｂから出射される青成分光Ｂを反射する。また、クロスダイクロイックミラー２０は、緑成分光Ｇを透過し、光源１０Ｒから出射される赤成分光Ｒを反射する。
【００２５】
折り返しミラー３０は、クロスダイクロイックミラー２０から出射された色成分光をＤＭＤ４０側に反射する。
【００２６】
ＤＭＤ４０は、複数の微小ミラーによって構成されており、複数の微小ミラーは可動式である。ＤＭＤ４０は、各微小ミラーの角度を変更することによって、折り返しミラー３０で反射された光を投写ユニット５０へ反射するか否かを切り替える。
【００２７】
ここで、ＤＭＤ４０の中心は、投写ユニット５０の光軸からシフトしていることに留意すべきである。具体的には、ＤＭＤ４０の中心は、投写ユニット５０の光軸よりも、図２に示すＢ方向（すなわち、映像光の投写領域側）にシフトしている。
【００２８】
投写ユニット５０は、ＤＭＤ４０から出射される映像光を投写面に投写する。例えば、投写ユニット５０は、投写レンズ群５１と、反射ミラー５２とを有する。
【００２９】
投写レンズ群５１は、ＤＭＤ４０から出射される映像光を反射ミラー５２側に出射する。投写レンズ群５１は、投写ユニット５０の光軸を中心とする略円形形状のレンズ、投写ユニット５０の光軸を中心とする略円形形状の一部分によって構成される形状（例えば、下半分の半円形状）のレンズなどを含む。
【００３０】
なお、投写ユニット５０に含まれるレンズの径は、反射ミラー５２に近いほど大きいことに留意すべきである。
【００３１】
反射ミラー５２は、ＤＭＤ４０から出射された映像光を投写面側に反射する。反射ミラー５２は、例えば、ＤＭＤ４０側に凹面を有する非球面ミラーである。
【００３２】
図３及び図４に戻って、投写型映像表示装置１００は、ファン３１１（ファン３１１Ａ及びファン３１１Ｂと、ダクト３１２（ダクト３１２Ａ及びダクト３１２Ｂ）とを有する。
【００３３】
ファン３１１は、ダクト３１２によって形成される空気流路内において、吸気口２１２から排気口２１３への空気流を形成する。具体的には、ファン３１１Ａは、筐体２００の外部の空気を吸気口２１２Ａからダクト３１２Ａの内部に導くファンである。ファン３１１Ｂは、筐体２００の外部の空気を吸気口２１２Ａからダクト３１２Ｂの内部に導くファンである。
【００３４】
ダクト３１２は、吸気口２１２から排気口２１３への空気流路を形成する。なお、ダクト３１２は、空気流路の一部のみを形成していてもよい。具体的には、ダクト３１２Ａは、吸気口２１２Ａから排気口２１３Ａへの空気流路を形成する。また、ダクト３１２Ｂは、吸気口２１２Ｂから排気口２１３Ｂへの空気流路を形成する。
【００３５】
投写型映像表示装置１００は、冷却ユニット４００（冷却ユニット４００Ｒ、冷却ユニット４００Ｇ、冷却ユニット４００Ｂ、冷却ユニット４００Ｘ、冷却ユニット４００Ｙ）を有する。
【００３６】
冷却ユニット４００Ｒは、光源１０Ｒを冷却する。第１実施形態では、冷却ユニット４００Ｒは、放熱フィン４３０Ｒである。
【００３７】
冷却ユニット４００Ｇは、光源１０Ｇを冷却する。冷却ユニット４００Ｂは、光源１０Ｂを冷却する。冷却ユニット４００Ｇ及び冷却ユニット４００Ｂは、受熱部４１０（受熱部４１０Ｇ、受熱部４１０Ｂ）と、ヒートパイプ４２０（ヒートパイプ４２０Ｇ、ヒートパイプ４２０Ｂ）と、放熱フィン４３０（放熱フィン４３０Ｇ、放熱フィン４３０Ｂ）を有する。
【００３８】
なお、冷却ユニット４００Ｇ及び冷却ユニット４００Ｂは、本明細書に係る冷却ユニットの一例である。また、冷却ユニット４００Ｇ及び冷却ユニット４００Ｂの詳細については後述する（図５を参照）。
【００３９】
冷却ユニット４００Ｘは、ＤＭＤ４０を冷却する。第１実施形態では、冷却ユニット４００Ｘは、放熱フィン４３０Ｘである。
【００４０】
冷却ユニット４００Ｙは、光源１０を駆動するドライバ基板５００（図４を参照）を冷却する。第１実施形態では、冷却ユニット４００Ｙは、放熱フィン４３０Ｙである。
【００４１】
（冷却ユニットの詳細）
以下において、第１実施形態に係る冷却ユニットの詳細について、図面を参照しながら説明する。図５は、第１実施形態に係る冷却ユニット４００の詳細を示す図である。
【００４２】
図５に示すように、冷却ユニット４００（冷却ユニット４００Ｇ及び冷却ユニット４００Ｂ）は、受熱部４１０と、ヒートパイプ４２０と、放熱フィン４３０とを有する。
【００４３】
受熱部４１０は、熱源から熱を受け取る。ヒートパイプ４２０は、放熱フィン４３０に熱を伝達する。放熱フィン４３０は、冷却用空気の空気流路上に配置される。
【００４４】
すなわち、受熱部４１０Ｇが光源１０Ｇの熱を受け取り、ヒートパイプ４２０Ｇが光源１０Ｇの熱を放熱フィン４３０Ｇに伝達する。同様に、受熱部４１０Ｂが光源１０Ｂの熱を受け取り、ヒートパイプ４２０Ｂが光源１０Ｂの熱を放熱フィン４３０Ｂに伝達する。
【００４５】
ここで、各冷却ユニット４００は、複数の放熱フィン４３０を有する。複数の放熱フィン４３０は、ヒートパイプ４２０に連結されており、ヒートパイプ４２０が伸びる方向に沿って所定間隔で配置される。
【００４６】
具体的には、図６に示すように、放熱フィン４３０（放熱フィン４３０Ｇ及び放熱フィン４３０Ｂ）は、フィン本体４３１（フィン本体４３１Ｇ、フィン本体４３１Ｂ）と、導風壁４３２（導風壁４３２Ｇ、導風壁４３２Ｂ）とを有する。
【００４７】
フィン本体４３１は、ヒートパイプ４２０が伸びる方向に対して垂直な主面を有する平板状の形状を有する。導風壁４３２は、フィン本体４３１の主面に対して垂直な導風面を有する。
【００４８】
第１実施形態では、導風壁４３２は、空気流路を流れる冷却用空気（すなわち、放熱フィン４３０に供給される冷却用空気）を異なる向きに導くように設けられる。
【００４９】
第１実施形態では、フィン本体４３１の主面は、矩形形状の主面を有する。導風壁４３２は、フィン本体４３１の主面のうち、互いに隣接する２辺に沿って設けられる（例えば、図６に示す放熱フィン４３０Ｂ）。
【００５０】
なお、「主面」とは、フィン本体４３１の面のうち、最も面積が広い面である。ここで、フィン本体４３１は、平板形状を有するため、１対の主面を有する。
【００５１】
なお、冷却ユニット４００Ｇ及び冷却ユニット４００Ｂを１つの冷却ユニット４００と考えた場合には、冷却ユニット４００Ｇ及び冷却ユニット４００Ｂのそれぞれは、個別ユニットを構成する。このようなケースにおいて、放熱フィン４３０Ｇ及び放熱フィン４３０Ｂは、導風壁４３２によって形成される空気流路上において、間隔を持ちながら隣接して配置される。
【００５２】
ここで、光源１０Ｇの発熱量は、光源１０Ｂの発熱量よりも大きい。従って、冷却ユニット４００Ｇ及び冷却ユニット４００Ｂは、冷却ユニット４００Ｇ（放熱フィン４３０Ｇ）から冷却ユニット４００Ｂ（放熱フィン４３０Ｂ）に冷却用空気が導かれるように配置される。
【００５３】
以下において、冷却ユニット４００Ｇ及び冷却ユニット４００Ｂについて、さらに詳細に説明する。図７は、第１実施形態に係る冷却ユニット４００Ｇを示す図である。図８は、第１実施携帯に係る冷却ユニット４００Ｂを示す図である。
【００５４】
図７に示すように、冷却ユニット４００Ｇは、受熱部４１０Ｇと、ヒートパイプ４２０Ｇと、放熱フィン４３０Ｇとを有する。また、放熱フィン４３０Ｇは、フィン本体４３１Ｇと、導風壁４３２Ｇとを有する。
【００５５】
フィン本体４３１Ｇは、ヒートパイプ４２０Ｇが伸びる方向Ｘに対して垂直な平板状の形状を有する。導風壁４３２Ｇは、フィン本体４３１Ｇからヒートパイプ４２０Ｇが伸びる方向Ｘに沿って突出する形状を有する。言い換えると、導風壁４３２Ｇは、フィン本体４３１Ｇの主面に対して垂直な導風面を有する。
【００５６】
例えば、導風壁４３２Ｇは、図７に示すように、フィン本体４３１Ｇと一体として形成されていてもよい。すなわち、平板の折曲げによって、導風壁４３２Ｇが形成されてもよい。
【００５７】
或いは、導風壁４３２Ｇは、フィン本体４３１Ｇと別体として形成されていてもよい。このようなケースでは、ヒートパイプ４２０Ｇが伸びる方向Ｘに沿って配置された複数の放熱フィン４３０Ｇの導風壁４３２Ｇは、１枚の平板によって形成されてもよい。導風壁４３２Ｇを構成する１枚の平板は、例えば、ヒートパイプ４２０Ｇが伸びる方向Ｘに沿って配置された複数の放熱フィン４３０Ｇのフィン本体４３１Ｇの側面に接着される。
【００５８】
図８に示すように、冷却ユニット４００Ｂは、受熱部４１０Ｂと、ヒートパイプ４２０Ｂと、放熱フィン４３０Ｂとを有する。また、放熱フィン４３０Ｂは、フィン本体４３１Ｂと、導風壁４３２Ｂとを有する。
【００５９】
フィン本体４３１Ｂは、ヒートパイプ４２０Ｂが伸びる方向Ｙに対して垂直な平板状の形状を有する。導風壁４３２Ｂは、フィン本体４３１Ｂからヒートパイプ４２０Ｂが伸びる方向Ｙに沿って突出する形状を有する。言い換えると、導風壁４３２Ｂは、フィン本体４３１Ｂの主面に対して垂直な導風面を有する。
【００６０】
例えば、導風壁４３２Ｂは、図７に示すように、フィン本体４３１Ｂと一体として形成されていてもよい。すなわち、平板の折曲げによって、導風壁４３２Ｂが形成されてもよい。
【００６１】
或いは、導風壁４３２Ｂは、フィン本体４３１Ｂと別体として形成されていてもよい。このようなケースでは、ヒートパイプ４２０Ｂが伸びる方向Ｙに沿って配置された複数の放熱フィン４３０Ｂの導風壁４３２Ｂは、１枚の平板によって形成されてもよい。導風壁４３２Ｂを構成する１枚の平板は、例えば、ヒートパイプ４２０Ｂが伸びる方向Ｙに沿って配置された複数の放熱フィン４３０Ｂのフィン本体４３１Ｂの側面に接着される。
【００６２】
（作用及び効果）
第１実施形態では、導風壁４３２は、複数の放熱フィン４３０に供給される冷却用空気を異なる向きに導くように設けられる。従って、簡易な構成で冷却用空気を所望の方向に導くことができる。
【００６３】
第１実施形態では、放熱フィン４３０Ｇ及び放熱フィン４３０Ｂは、導風壁４３２によって形成される空気流路上において、間隔を持ちながら隣接して配置される。従って、光源１０Ｇから生じる熱が放熱フィン４３０Ｂに伝達されることが抑制され、光源１０Ｂから生じる熱が放熱フィン４３０Ｇに伝達されることが抑制される。これによって、放熱フィン４３０Ｇ及び放熱フィン４３０Ｂの温度が均一化されることが抑制され、冷却用空気によって放熱フィン４３０を冷却する効率が向上する。
【００６４】
第１実施形態では、発熱量が相対的に大きい光源１０Ｇを冷却する冷却ユニット４００Ｇから、発熱量が相対的に小さい光源１０Ｂを冷却する冷却ユニット４００Ｂに冷却用空気が導かれる。従って、冷却用空気によって放熱フィン４３０を冷却する効率が向上する。
【００６５】
［変更例１］
以下において、第１実施形態の変更例１について説明する。以下においては、第１実施形態に対する相違点について主として説明する。
【００６６】
具体的には、変更例１では、放熱フィン４３０のバリエーションについて説明する。なお、変更例１では、フィン本体４３１の主面が辺Ａ〜辺Ｄを有する矩形形状であるケースについて例示する。
【００６７】
（１つの個別ユニット）
ここでは、１つの個別ユニットについて説明する。すなわち、冷却ユニット４００が１つの個別ユニットを有するケースについて説明する。
【００６８】
例えば、図９に示すように、放熱フィン４３０は、辺Ｃ及び辺Ｄに沿って設けられた導風壁４３２を有する。辺Ａから冷却用空気が流入し、辺Ｂから冷却用空気が流出する。これによって、冷却用空気を異なる向きに導くことができる。
【００６９】
或いは、図１０に示すように、放熱フィン４３０は、辺Ｂ〜辺Ｄに沿って設けられた導風壁４３２を有する。辺Ａに設けられたダクト３１２がヒートパイプ４２０に達しており、辺Ａから冷却用空気が流入し、辺Ａから冷却用空気が流出する。これによって、冷却用空気を異なる向きに導くことができる。なお、冷却用空気は、ヒートパイプ４２０よりも辺Ｃ側を通る。
【００７０】
或いは、図１１に示すように、放熱フィン４３０は、辺Ｂ〜辺Ｄに沿って設けられた導風壁４３２を有する。辺Ａに設けられたダクト３１２がヒートパイプ４２０に達しておらず、辺Ａから冷却用空気が流入し、辺Ａから冷却用空気が流出する。これによって、冷却用空気を異なる向きに導くことができる。なお、冷却用空気は、ヒートパイプ４２０よりも辺Ａ側及び辺Ｃ側を通る。
【００７１】
（複数の個別ユニット）
ここでは、複数の個別ユニットの組み合わせについて説明する。すなわち、冷却ユニット４００が複数の個別ユニットを有するケースについて説明する。
【００７２】
なお、個別ユニットに設けられた放熱フィン４３０は、上述したように、間隔を持ちながら隣接して配置されることが好ましい。
【００７３】
例えば、図１２に示すように、放熱フィン４３０Ｐは、辺Ｃ及び辺Ｄに沿って設けられた導風壁４３２を有する。放熱フィン４３０Ｑは、辺Ａ及び辺Ｂに沿って設けられた導風壁４３２を有する。放熱フィン４３０Ｐの辺Ａから冷却用空気が流入し、放熱フィン４３０Ｑの辺Ｃから冷却用空気が流出する。これによって、冷却用空気を異なる向きに導くことができる。
【００７４】
或いは、図１３に示すように、放熱フィン４３０Ｐは、辺Ｂ〜辺Ｄに沿って設けられた導風壁４３２を有する。放熱フィン４３０Ｑは、は、辺Ｂに沿って設けられた導風壁４３２を有する。放熱フィン４３０Ｐの辺Ａから冷却用空気が流入し、ダクト３１２を介して放熱フィン４３０Ｑの辺Ｃに冷却用空気が流入し、放熱フィン４３０Ｑの辺Ｃから冷却用空気が流出する。これによって、冷却用空気を異なる向きに導くことができる。
【００７５】
或いは、図１４に示すように、放熱フィン４３０Ｐは、辺Ｂ〜辺Ｄに沿って設けられた導風壁４３２を有する。放熱フィン４３０Ｑは、は、辺Ｂ〜辺Ｄに沿って設けられた導風壁４３２を有する。また、ダクト３１２は、ヒートパイプ４２０Ｐ及びヒートパイプ４２０Ｑに達しており、放熱フィン４３０Ｐの辺Ａから流出する冷却用空気を放熱フィン４３０Ｑの辺Ａに導く。放熱フィン４３０Ｐの辺Ａから冷却用空気が流入し、ダクト３１２を介して放熱フィン４３０Ｑの辺Ａに冷却用空気が流入し、放熱フィン４３０Ｑの辺Ａから冷却用空気が流出する。これによって、冷却用空気を異なる向きに導くことができる。
【００７６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７７】
実施形態では、光変調素子として、ＤＭＤ（Ｄｉｇｉｔａｌ  Ｍｉｃｒｏｍｉｒｒｏｒ  Ｄｅｖｉｃｅ）を例示したに過ぎない。光変調素子は、反射型の液晶パネルであってもよい。
【００７８】
実施形態では、フィン本体４３１の主面が矩形形状を有するケースについて例示した。しかしながら、実施形態は、これに限定されるものではない。例えば、フィン本体４３１の主面は、円形形状であってもよい。
【符号の説明】
【００７９】
１０…光源、２０…クロスダイクロイックミラー、３０…折り返しミラー、４０…ＤＭＤ、５０…投写ユニット、５１…投写レンズ群、５２…反射ミラー、１００…投写型映像表示装置、２００…筐体、２１１…透過領域、２１２…吸気口、２１３…排気口、３１１…ファン、３１２…ダクト、４００…冷却ユニット、４１０…受熱部、４２０…ヒートパイプ、４３０…放熱フィン、４３１…フィン本体、４３２…導風壁
【図１】
2012155154.tif 000003
【図２】
2012155154.tif 000004
【図３】
2012155154.tif 000005
【図４】
2012155154.tif 000006
【図５】
2012155154.tif 000007
【図６】
2012155154.tif 000008
【図７】
2012155154.tif 000009
【図８】
2012155154.tif 000010
【図９】
2012155154.tif 000011
【図１０】
2012155154.tif 000012
【図１１】
2012155154.tif 000013
【図１２】
2012155154.tif 000014
【図１３】
2012155154.tif 000015
【図１４】
2012155154.tif 000016